(57)【特許請求の範囲】
【請求項１】
主に長手方向軸（Ｙ）に沿って拡張する少なくとも１つの支持部材（２３）と、少なくとも１つの収容要素（１１）とを備え、
前記少なくとも一つの収容要素（１１）は、前記少なくとも１つの支持部材（２３）上で横方向に組み立てられており、且つ、人の胴体を収容することが可能であり、
前記少なくとも１つの支持部材（２３）は、互いに隣接する複数のモジュラー要素（１９）からなり、且つ、関連するクランプ手段（１３、１４、３５、２５、２７、１２５）によって安定した位置に固定されることが可能であり、
前記モジュラー要素（１９）は、使用中その全体として、人の背骨に対応して、人の胴体に実質的に合う位置に位置取り、
前記クランプ手段は、
調整位置で前記モジュラー要素（１９）を選択的に固定するための、少なくとも停止ナット又はボルト手段（２５、１２５）と、
前記支持部材（２３）の変化と一致する長手方向の変化を有すると共に、横方向の前記収容要素（１１）及び前記支持部材（２３）の間と、前記支持部材（２３）及び前記停止ナット又はボルト（２５、１２５）の間とにそれぞれ配置されている、２つの取り付け要素（１３、２７）とを含んでいる、
ことを特徴とする人体用の支持収容構造体。
【請求項２】
前記各モジュラー要素（１９）には、雌部（１９Ａ）及び／又は雄部（１９Ｂ）が設けられており、
前記各モジュラー要素（１９）の雌部（１９Ａ）は、少なくとも部分的に、隣接するモジュラー要素（１９）の雄部（１９Ｂ）と協働して、その逆も同様にして、前記支持部材（２３）を構成していることを特徴とする、請求項１に記載の人体用の支持収容構造体。
【請求項３】
前記各取り付け要素（１３、２７）は、構造体（１０）の組み立ての際、相互に取り付け可能な複数の平坦な要素（３１）として形成されている、ことを特徴とする、請求項１に記載の人体用の支持収容構造体。
【請求項４】
前記各取り付け要素（１３、２７）は、単一の部材として形成されている、ことを特徴とする、請求項１に記載の人体用の支持収容構造体。
【請求項５】
前記取り付け要素（１３、２７）は、複数の小穴（２６、２８）又はホール（３２）を有しており、少なくとも１つが前記モジュラー要素（１９）用であって、
前記各モジュラー要素（１９）は、それに関わる前記小穴（２６、２８）又はホール（３２）に沿って可変である固定位置に配置され得る、ことを特徴とする、請求項１に記載の人体用の支持収容構造体。
【請求項６】
前記各収容要素（１１）は、接合によって前記支持部材（２３）上に横方向に組み立てられている、ことを特徴とする請求項１に記載の人体用の支持収容構造体。
【請求項７】
前記各収容要素（１１）は、ヒンジ要素によって前記支持部材（２３）上に組み立てられている、ことを特徴とする請求項１に記載の人体用の支持収容構造体。
【請求項８】
前記少なくとも二つのモジュラー要素（１９）を横断するように取り付けられており、且つ、前記構造体（１０）に大きな剛性を与えることができる強化リング（１６）を含んでいる、ことを特徴とする請求項１〜７のうちのいずれか１項に記載の人体用の支持収容構造体。
【請求項９】
障害者のための座席又は移動手段に前記構造体（１０）を組み立てるためのフック（１５）を含んでいる、ことを特徴とする請求項１〜8のうちのいずれか１項に記載の人体用
の支持収容構造体。
【請求項１０】
拡張するために前記少なくとも一つの収容要素（１１）の一端に適用することができる、少なくとも一つの追加の横方向の支持体（２０）を含んでいる、ことを特徴とする請求項１〜９のうちのいずれか１項に記載の人体用の支持収容構造体。
【請求項１１】
前記各モジュラー要素は、関連する横方向の収容要素（１１）の少なくとも一部の対応する側端部を位置決めして相対的に固定するために成形された位置決め台座（３８）を有している、ことを特徴とする請求項１〜１０のうちのいずれか１項に記載の人体用の支持収容構造体。
【発明の詳細な説明】
【技術分野】
【０００１】
本発明は、例えば障害者のような、体の適切かつ機能的なポジションが維持できない人体用の支持収容構造体に関するものである。
【０００２】
特に、本発明は、筋肉運動の問題を持つ人が、適切なレベルの柔軟性をもって日常的な活動を行う際にその人に伴い得る、例えば、その胴体のための、背もたれ、コルセットやその他のようなサポートを必要とする場合に、好ましくは適用される。
【背景技術】
【０００３】
例えば障害者のように、身体の適切かつ機能的な位置を維持することができない人のためには、特定の安定性、快適さ及び動作の自由を保証することができて、日常の活動に参加することのできる、適した支持具によってサポートされるべきことが知られている。確かに正しい姿勢は、極めて重要な機能を促進し、人々の個人的能力を向上させる。
【０００４】
障害者は、彼らが患う病状の種類に応じると共に、補う必要のある姿勢の欠陥に応じて、異なるサポートの条件を有している。
【０００５】
また、頻繁に、障害者は、常に彼らの日常の活動に伴い、また、例えば、食事、読書、移動など日中に行う活動に応じたサポート構造を必要とする。彼らは、個々の生理的ニーズに適応することができる、多かれ少なかれ柔軟な構造を必要とする。
【０００６】
伝統的な支持収容構造体は、例えば、馬車、椅子又はその他に適用されるものであるが、障害者の胴体や骨盤を収容するものであることが知られている。これらの構造は、一般的に硬質プラスチック材料からなる単一のフレームを用いて、標準人間工学に基づいた形状で作られる。
【０００７】
このような構造は一般的に、彼らをより快適にするように、海綿状材料又は他のものでパディング及び並べられる。また、要件やユーザーのタイプによって、姿勢機能を向上させるように付加アクセサリを適用することもできる。
【０００８】
この伝統的な解決策の一つ欠点は、それが最も“標準化された”病状だけに対処することであって、実際その構造は、ユーザーが自分の動作を良く制御するかどうか、体の制御できない痙攣を持つかどうかによって、一定レベルの剛性と乏しい調整機能を持っている。
【０００９】
第一の場合、障害者は優れた柔軟性を保証することができる構造が必要になり、第二の場合、その人はより剛性のある構造が必要になる。
【００１０】
支持収容構造体はまた、障害者の動作間その背骨を支持することができる、主に単片における縦方向の変化を有する支持部材を備えていることが知られている。
【００１１】
この解決策は、それが意図された者の個々の特性やニーズに適合及び個別化することが簡単にできないという欠点を持っている。
【００１２】
このため、中心要素が可撓性材料で作られた場合は、その後の補強ができなくて、逆の場合も同様、障害者の胴体が時間をかけて施すのであろう継続的な生理的調整に適応する構造には適しない。
【００１３】
この解決策の別の欠点は、固定及び調整不可になっているその中心要素であって、それは、より標準的な病状及びより標準サイズの身体構造を持つものだけのためであって、すべての障害者には適していない。
【００１４】
この解決策のまた別の欠点は、コストがかかり、かつ、複雑な保管庫管理のための多くの保管庫部品の存在である。
【００１５】
また別の周知の解決策は、特許文献１及び特許文献２に記載されていて、本発明による改良の基になっている。
【先行技術文献】
【特許文献】
【００１６】
【特許文献１】国際特許公開第０２／２２０６７号
【特許文献２】欧州特許公開第２．０７０．５０１号
【発明の概要】
【発明が解決しようとする課題】
【００１７】
本発明の目的は、障害者のための支持収容構造体を実現することであって、個別化ができて、ユーザー及び彼らの動きの要件のあらゆるタイプに適応することが可能で、正確であるが固定されない調整が可能な柔軟な構造によって、人の小な動きに従うことができ、それらを支援し、必要に応じて、適切な制御を行う。それはつまり、障害者が、支持収容構造体における様々なモジュールの位置及び構造の剛性レベルを決定することである。
【００１８】
出願人は、技術状況の欠点を克服するために、また、これら及び他の目的や利点を得るために本発明を考案し、テストし、及び具現化している。
【課題を解決するための手段】
【００１９】
本発明は、従属請求項において、その主たる発明に関する工夫のための本発明又は変形の他の特性を記載しながら、独立請求項において明記及び特徴付けられる。
【００２０】
上記の目的に応じて、人体用の支持収容構造体は、少なくとも、主に長手方向の軸に沿って拡張する支持部材及び少なくとも収容要素、望ましくは複数の収容要素を含んでいる。
【００２１】
少なくとも一つの収容要素は、個別に合った態様で、人の胴体を収容するために、少なくとも１つの支持部材上に横方向に搭載されている。
【００２２】
本発明の特徴によると、少なくとも一つの支持部材は、選択的に高さ調節可能であって且つ関連するクランプ手段によって安定した位置に固定可能な複数のモジュラー要素を含んでいる。モジュラー要素は、使用中一斉に、ユーザーの背骨に対応して、障害者の胴体に実質的に合う位置に位置取りする。
【００２３】
組み立ての際、支持部材は、それに取り付けられるモジュラー要素と一緒になって、支持収容構造の軸受列を構成する。その一方で、横方向の収容要素は、患者及び／又は特定のユーザーのためのそれぞれの場合に必要なアプリケーションに応じて個別に合った肋材構造を構成する。
【００２４】
本発明の変形例によると、各モジュラー要素は、雌部及び／又は雄部を備えている。各モジュラー要素の雌部は、少なくとも部分的に、隣接するモジュラー要素の雄部と協働して、またその逆も同様にして、支持部材を構成している。
【００２５】
別の変形例によると、各モジュラー要素は、関連する横方向の収容要素の少なくとも一部を位置決めして相対的に固定するために、少なくとも側面に成形された位置決め台座を持っている。
【００２６】
別の変形例によると、横方向の収容要素は、長手方向の支持部材に対して可変な位置に、その位置決め及びその取り付けを可能にする、複数のホール及び／又は小穴を持っている。
【００２７】
別の変形例によると、クランプ手段は、少なくとも一つのクランプレバー又はプレートと、調整位置にてモジュラー要素を選択的に固定するための少なくとも一つの停止ナットと、少なくとも一つの停止ナットが振動やその他に起因して偶然に緩んでくるのを防ぐための少なくとも一つの取り付け要素とを含んでいる。
【００２８】
本発明の別の変形例によると、収容要素と収容要素が接続される支持部材との間、及び、各モジュラー要素が互いに安定した取り付けができるように、支持部材とクランプレバー又はプレートとの間に、それぞれ配置される２つの取り付け要素を有している。
【００２９】
本発明の別の変形例によると、２つの取り付け要素は、各々が、一つの部材で形成され得ものであるか、又は代わりに一つの歩合を構成するために複数の固定要素からなるものであるが、一つが各モジュラー要素用である、複数の成形されたホール及び／又は小穴を有している。
【００３０】
支持部材の各モジュラー要素は、それに関連したホールや小穴に沿って可変である固定位置に配置され得る。モジュラー要素の至近距離の位置は支持部材の硬化を引き起こす一方で、距離を置いた位置は支持部材をより柔軟にする。
【００３１】
本発明の別の変形例によると、各収容要素は、接合によって支持部材上に横方向に搭載されている。
【００３２】
別の変形例によると、各収容要素は、ヒンジ要素によって支持部材に取り付けられている。
【００３３】
本発明の別の変形例によると、支持収容構造体は、少なくとも２つの隣接するモジュラー要素に横方向に取り付けられて且つより大きい剛性を該構造体に付与することができる強化リングを有している。
【００３４】
別の変形例によると、支持収容構造体は、身体障害者用座席や移動手段も該構造を組み立てるためのフックを有している。
【００３５】
別の変形例によると、支持収容構造体は、少なくとも一つの追加の横方向支持体を有しており、該横方向支持体は、拡張するために少なくとも１つの収容要素の一端に適用されることが可能であって、且つ、障害者の身体をより取り囲むことができる。
【図面の簡単な説明】
【００３６】
【図１】図１は、障害者の胴体を収容する面を示す支持収容構造体の正面図である。
【図２】図２は、図１における障害者のための支持収容構造体の側面図である。
【図３】図３は、図１における障害者のための支持収容構造体の背面図であって、車両、車椅子又はその他に取り付ける構造の表面を示している。
【図４】図４は、図１における障害者のための支持収容構造体の分解図である。
【図５】図５は、本発明の実施例の別形態の正面図である。
【図６】図６は、図５におけるＡＡの断面図を示している。
【図７】図７は、図５におけるＢＢの断面図を示している。
【図８】図８は、図５における実施例の分解図である。
【発明を実施するための形態】
【００３７】
本発明のこれら及び他の特性は、添付図面を参照して非限定的な例として与えられ、本実施形態の好ましい実施形態の以下の説明から明らかとなる。
【００３８】
図１を参照して、障害者用の支持収容構造体１０は、主に長手方向の軸Ｙに沿って拡張する支持部材２３と、支持部材２３に対して横方向に配置されて且つその上に搭載されており、各々が少なくとも部分的に障害者の胴体の特定部分を収容することができる複数の収容要素１１とを備えている。
【００３９】
図１に示すように、支持収容構造体１０は、使用中に、障害者の胴体を収容する表面と、図３に示すように、使用中に、ウォーキング手段、例えば車両、車椅子、ジマーフレームなどのような移動手段又はその他に該構造を設置又は取り付けるための後部表面とを有している。
【００４０】
この場合、収容要素１１は、支持部材２３に沿って占められる位置に応じて、また、支持又は収容される障害者の胴体の一部に応じて、異なる形態や大きさを有している。
【００４１】
当然に、収容要素の形状やサイズによって、且つ、患者又は特定のユーザーに応じて支持する必要のある胴体の断面によって、収容要素１１の数もまた変化してもよい。
【００４２】
収容要素１１はまた、障害者の胴体の対応する部分を人間工学的に収容するように、支持部材２３に対して少なくとも部分的に前方に湾曲する（図２中の矢印Ｆによって方向指示）。
【００４３】
この場合に、図１と図２に示すように、障害者の胴体により素晴らしい支持体２０を提供するために、収容要素１１の一つの湾曲端において、１つの追加の横方向の支持体２０が搭載されている。
【００４４】
これを実現するために、取り付け要素２１は、追加の横方向の支持体２０が取り付けられており、かつ、支持体２０が適用される収容要素１１の湾曲端に位置する取り付け要素２２と協働する。
【００４５】
図１を参照して、支持収容構造体１０のフロント部において、各収容要素１１は、当て物（図８で示される実施形態にのみ参照番号３０で示す）を用いて収容構造体１０をカバーできるように、それを快適にできる複数のベルクロ（商標）面１２を有している。
【００４６】
収容要素１１が上部に実装される支持部材２３は、障害者の背骨を、その曲線に適応しながら、支持することができる。
【００４７】
支持部材２３は、互いに隣接して配置され、Ｙ軸の方向に実質的に整列され、また、使用中、男性／女性の背骨に対応して人の胴体に適合される全体的な位置に位置取りする、複数のモジュラー要素１９からなっている。
【００４８】
図１〜図４に示す実施形態において、各モジュラー要素１９は、雌部及び／又は雄部を備えている。
【００４９】
各モジュラー素子１９の雌部は、少なくとも部分的に、隣接するモジュラー素子１９の雄部と協働して、またその逆も同様にして、支持部材２３を形成している。
【００５０】
モジュラー要素１９が互いに近く配置され重複すればするほど支持部材２３の剛性は増加するため、モジュラー要素１９の相互位置は、支持部材２３の剛性／柔軟性の所望のレベルに応じて調節可能である。
【００５１】
この場合に、障害者のための支持収容構造体１０はまた、図２及び図４に示すように、各々が、フロント１３と、主に長手方向の変化を有し、複数の停止ナット２５及びクランプレバー１４を有するリア２７とを持つ、２つの取り付け要素を備えている。
【００５２】
取り付け要素１３及び２７には、それぞれ長手方向に沿って順番に配置された小穴２６と小穴２８が設けられている。
【００５３】
取り付け要素１３は、支持部材２３と収容要素１１との間に配置される一方で、取り付け要素２７は、取り付け要素１３の後方に配置され、且つ、支持部材２３とクランプレバー１４との間に位置している。
【００５４】
より正確には、支持部材２３の各モジュラー素子１９の上に、一つの収容要素１１が搭載されて、取り付け要素１３は、小穴２６と対応して、それらの間に介在している。
【００５５】
取り付け要素２７は支持部材２３の後方に配置され、各小穴２８はモジュラー要素１９のいずれかに対応して位置している。
【００５６】
Ｙ軸の方向に沿ったモジュラー要素１９の相対位置の安定性は、クランプレバー１４と停止ナット２５とによって保証されている。
【００５７】
各クランプレバー１４は、小穴２８及び２６、並びに、モジュラー要素１９及びそれに連携する収容要素１１中に形成された適切なホールを通過するねじ要素２９を有している。
【００５８】
ねじ要素２９は、それにかかわる停止ナット２５と協働して、所望の位置にて対応モジュラー要素１９を固定する。
【００５９】
取り付け要素１３及び２７は、停止ナット２５とクランプレバー１４との間に固定され、振動作用によりナット２５が偶然に緩んでくるのを防ぐ。
【００６０】
障害者の特定要件に従って、互いに対してモジュラー要素１９の位置を変えることができるようにするために、ナット２５を意図的に緩めることにより、モジュラー要素１９が対応する取り付け素子１３及び２７の小穴２６及び２８の内側でスライドできるようにしている。
【００６１】
また、各停止ナット２５は、互いに対してモジュラー要素１９の相互安定した位置を一時的に決定するように、小穴２６と２８に対して一時的に固定することができる。
【００６２】
この方法において、近いモジュラー要素１９同士には構造体の大きな剛性があり、また、互いに距離をもつモジュラー要素１９にはより大きい柔軟性があるため、構造体の剛性レベルを変えることが可能である
図３に示すように、少なくとも１対のモジュラー要素１９に１対の強化リング１６を適用することにより、構造体１０にさらに大きい剛性を与えることができる。
【００６３】
また、この場合に、例えば車両、車椅子、ジマーフレーム又はその他のような、障害者用の座席及び移動手段に構造体１０を組み立てることができるように、２つのフック１５が一対のモジュール要素１９に対して横方向に取り付けられている。
【００６４】
フック１５は、構造体１０の補強機能をも遂行する少なくとも小穴１８によってそれぞれ縦方向に通過する二つのアーム１７手段によって、その一対のモジュール要素１９に取り付けられている。
【００６５】
次に、図５〜図８を参照すると、本発明に係る構造体の実施形態の別の形態が示されている。既に図１〜図４で参照して説明したものと同一又は相当する部分を参照するために同じ番号が用いられるので、さらに説明されることはない。
【００６６】
図５〜図８に示す実施形態において、フロント１３及びリア２７の取り付け要素は、上記実施形態のように一つの部材で形成されていないが、互いに取り付けられた複数の平坦要素３１によって構成されている。このようにして、平坦要素３１の相互位置及びその数に応じて、支持部材２３は、特定の場合及び患者又はユーザーに適合するように個人にあったものとすることができる。
【００６７】
平坦要素は、したがって、組み立ての際、互いに重なるように配置され、モジュラー要素１９に存在するホール３３に対応して整列しており、横方向の収容要素１１に存在するホール３４に対応して整列している、ホール３２を有することができる。それぞれのフロントナット２５及びリアボルト１２５は、構造体１０を構成するために、すべての要素の相互取り付けができるように、ホール３２、３３及び３４を介して挿入される。
【００６８】
各モジュラー素子１９は、その側端部において、関連する横方向の収容要素１１の対応する側端部の少なくとも一部を位置決めして相対的に固定するために、成形された位置決め台座３８を有している。
【００６９】
図８に示すように、取り付け歯３６を備えたプレート３５は、それぞれのねじ溝３７と協働する各モジュラー要素１９と結合されて、構造体１０の取り付け要素を見えないように隠している。
【００７０】
以上で説明したように、本発明の人体用の支持収容構造体１０は、その分野及び範囲から逸脱することなく、改変及び／又は部品の追加がなされてもよいことは明らかである。
【図１】
0005632477.tif 000002
【図２】
0005632477.tif 000003
【図３】
0005632477.tif 000004
【図４】
0005632477.tif 000005
【図５】
0005632477.tif 000006
【図６】
0005632477.tif 000007
【図７】
0005632477.tif 000008
【図８】
0005632477.tif 000009